(57)【特許請求の範囲】
【請求項１】
インクリボンをカセット本体部に収納したリボンカセットと、互いに対向する一対の側板部と一方の前記側板部に形成した開口部から挿入される前記リボンカセットを着脱可能なカセット装着部とを有するフレームと、他方の前記側板部に取付けて前記カセット装着部内に位置させたサーマルヘッドと、前記カセット装着部に装着した前記リボンカセットを抜け止め可能な抜け止め部と、前記抜け止め部で抜け止めされた前期リボンカセットをロック及びロック解除可能なイジェクト部材と、を備え、
前記カセット装着部内に装着した前記リボンカセットを前記開口部方向へ所定の付勢力で付勢する付勢部材を前記フレームに取り付けして、前記一方の側板部に沿ってスライド移動させて前記イジェクト部材が前記リボンカセットのロック解除を行うことにより、前記リボンカセットの抜け止めが解除されて、前記カセット装着部に装着された前記リボンカセットを、前記付勢部材の付勢力にて前記カセット装着部から押出し移動可能にした熱転写プリンタであって、
前記リボンカセットの上面には、前記イジェクト部材に形成した係合溝に係合可能な係合部を突出形成し、前記イジェクト部材は、前記一方の側板部に沿って配設した基板部と、前記フレームの上面に沿って前記基板部に対し略直角に形成した摺接板部とを設け、前記摺接板部は、前記係合溝に係合した前記リボンカセットの係合部に摺接しながら前記前記リボンカセットを前記開口部から排出可能とした傾斜部を形成したことを特徴とする熱転写プリンタ。
【請求項２】
前記フレーム上面の前記開口部側の縁部には切欠き溝を形成して、前記リボンカセットの前記係合部を前記切欠き溝にガイドされて前記リボンカセットを前記開口部から排出するようにしたことを特徴とする請求項１記載の熱転写プリンタ。
【請求項３】
前記リボンカセットは、前記カセット本体部の上面から延出して一体形成されたリボン案内部を有し、該リボン案内部の下面には前記サーマルヘッドと対向配置可能なヘッド当接部を設けて、
前記サーマルヘッドは、複数の発熱素子を有する基板部と、該基板部を固着し、前記他方の側板部に取付けしたヘッド取付台とを有し、前記抜止め部は、前記ヘッド取付台の先端を湾曲させてフック状に形成し、前記リボンカセットは、前記ヘッド当接部に前記抜け止め部と係合可能なリブ部を形成したことを特徴とする請求項１または２記載の熱転写プリンタ。
【発明の詳細な説明】
【０００１】
【発明の属する技術分野】
本発明は熱転写プリンタに係わり、カセット装着部に装着したリボンカセットをイジェクト機構にて外部に排出可能にした熱転写プリンタに関する。
【０００２】
【従来の技術】
従来の熱転写プリンタには、図１２に示すように、内部が空洞の箱状に形成されたフレーム１０１が配設されている。
このフレーム１０１には、手前側に一方の側板部１０１ａと、この一方の側板部１０１ａと対向する側に他方の側板部１０１ｂとがそれぞれ形成されている。また、フレーム１０１の上部には天板部１０１ｃが形成され、フレーム１０１の下部には底板部１０１ｄが形成されている。
このようなフレーム１０１内には、後述するリボンカセット１１９を着脱可能なカセット装着部１０２を有し、一方の側板部１０１ａにリボンカセット１１９を挿入可能な着脱口１０２ａが形成されている。
【０００３】
他方の側板部１０１ｂには、回転可能な巻取りボビン１０３が配設され、この巻取りボビン１０３にリボンカセット１１９の一部が係合可能となっている。
図１３に示すように、上記天板部１０１ｃには、角孔１０１ｆと、図示右側端面の一部を切欠いた切欠き部１０１ｇとがそれぞれ形成されている。
また、図１２に示す側板部１０１ａ、１０１ｂ間には、回転自在なプラテンローラ１０４が軸支されている。
【０００４】
さらに他方の側板部１０１ｂには、ヘッド取付台１０７が片持ち支持されて取り付けられている。
上記ヘッド取付台１０７の下方には、プラテンローラ１０４と対向して複数の発熱素子を有するサーマルヘッド１０６が固着されている。
【０００５】
カセット装着部１０２の下部には、後述する記録用紙１２７を案内可能な用紙ガイド板１０８が配設され、この用紙ガイド板１０８の図示左側に給排紙口１０８ｂが設けられて、内部のカセット装着部１０２に通じるようになっている。
【０００６】
図１４、図１５Ａ、１５Ｂに示すように、壁部材１０９は、フック状の支持部１０９ａと、支持部１０９ａの図示左側に形成した貫通孔１０９ｂとを有していて、図１２に示すカセット装着部１０２の図示左側を開閉するように配設されている。
さらに、図１５Ｂに示すように、壁部材１０９は、湾曲状の側面１０９ｃが形成され、この側面１０９ｃがカセット装着部１０２の内壁面の一部を構成するようになっている。壁部材１０９の図１５Ａの右端部寄りの下部には、バネ係止部１０９ｄが突出形成されている。
【０００７】
図１４に示すように、第１イジェクトレバー１１０は、平坦部１０ａと、この平坦部１０ａの左端部が略直角に折り曲げられたカセット当接部１１０ｂとから形成されている。
平坦部１１０ａの右端部には、バネ係止部１１０ｃが形成され、平坦部１１０ａの上下端部には一対のストッパー部１１０ｄが折り曲げ形成されている。
そして、第１イジェクトレバー１１０は、バネ係止部１１０ｃと壁部材１０９のバネ係止部１０９ｄとの間にコイルばね１１１が係止されて、図示の矢印Ｇ方向に弾性付勢されている。
【０００８】
図１２に示すように、一方の側板部１０１ａには、スライド部材１１４が配設され、このスライド部材１１４によってカセット装着部１０２からリボンカセット１１９を抜け出す方向（図１２の紙面と直交する方向）への動きを止めるようになっている。
上記スライド部材１１４は、中央に一方の側板部１０１ａから突出するプラテン駆動軸１０５を回避する逃げ孔１１４ａが形成され、この逃げ孔１１４ａの左側端部にテーパー状のカセット当接部１１４ｂが形成されている。
上記スライド部材１１４の右側側壁１１４ｄには、右方向に突出する細長状をした押圧部１１４ｅが形成されている。そして、スライド部材１１４は、着脱口１０２ａの一部を遮るように矢印Ｅ、Ｆ方向に往復動するようになっている。
上記スライド部材１１４は、通常コイルバネによって矢印Ｅ方向に弾性付勢され、着脱口１０２ａの一部を遮るようになっている。
【０００９】
図１３に示すように、フレーム１０１の角孔１０１ｆには、イジェクト機構の一部を構成する第２イジェクトレバー１１５が取り付けられている。
上記第２イジェクトレバー１１５は、一端にカセット押圧部１１５ｃが折り曲げ形成され、他端に駆動部１１５ｅが斜めに折り曲げ形成されている。
そして、第２イジェクトレバー１１５は、カセット押圧部１１５ｃを切欠き部１０１ｇに位置させ、駆動部１１５ｅをフレーム１０１の空洞部内に位置させるように、リベット１１６を支点として天板部１０１ｃに回動自在に取り付けられている。
【００１０】
図１２に示すように、一方の側板部１０１ａには、第２イジェクトレバー１１５を回動するための回動レバー１１７が配設されている。
この回動レバー１１７はリベット１１８で一方の側板部１０１ａの内側に回動自在に取り付けられて、スライド部材１１４の押圧部１１４ｅが回動レバー１１７の一方端に当接し、第２イジェクトレバー１１５の駆動部１１５ｅが回動レバー１１７の他方端に当接するようになっている。
【００１１】
図１６及び図１７に示すように、この熱転写プリンタに使用するリボンカセット１１９は、内部に空洞部を有するカセット本体部１２０と、このカセット本体部１２０から一方側に延出形成されたリボン案内部１２１とから主に構成されている。
カセット本体部１２０の空洞部内には、インクリボン１２２が収納されている。
インクリボン１２２は、両端が供給コア１２３と巻取りコア１２４とにそれぞれ巻回されていて、これら供給コア１２３、巻取りコア１２４がカセット本体部１２０の側壁１２０ａ、１２０ｂ間に回転自在に軸支されている。
また、一方の側壁１２０ｂの右側端部には抜止め部１２０ｄが形成され、この抜止め部１２０ｄにスライド部材１１４のカセット当接部１１４ｂが当接してリボンカセット１１９をカセット装着部１０２から抜け止めするようになっている。
【００１２】
リボン案内部１２１の下部には、ヘッド取付台１０７を挿入可能なヘッド挿入部１２５が形成されている。
図１７に示すリボン案内部１２１の上部には凸部１２６が形成されてフレーム１０１の切欠き部１０１ｇに嵌合するようになっている。
【００１３】
このような熱転写プリンタにリボンカセット１１９を着脱する動作を説明すると、先ず、図１６に示すリボンカセット１１９を他方の側壁部１２０ｂ側から図１２に示すフレーム１０１の着脱口１０２ａに挿入すると、抜止め部１２０ｄによって着脱口１０２ａの一部を遮るようになっていたスライド部材１１４が、図１２の矢印Ｆ方向に移動してリボンカセット１１９は、カセット装着部１０２に装着される。
すると、スライド部材１１４が矢印Ｅ方向に移動して、カセット装着部１０２から抜け出す方向へのリボンカセット１１９の抜け止め動作を抜止め部１２０ｄで阻止する。
このとき、第１イジェクトレバー１１０は、カセット当接部１１０ｂが他方の側壁１２０ｂに押されて、コイルばね１１１の付勢力に抗して図１４の矢印Ｈ方向に移動する。
【００１４】
次に、カセット装着部１０２に装着したリボンカセット１１９をスライド部材１１４による抜け止めを解除して、カセット装着部１０２から排出するには、先ず、スライド部材１１４を手動操作で図１２に示す矢印Ｆ方向に移動させる。
すると、リボンカセット１１９の抜止め部１２０ｄからスライド部材１１４のカセット当接部１１４ｂが外れて、スライド部材１１４からなる抜け止めが解除される。
【００１５】
このようにスライド部材１１４を矢印Ｆ方向に移動させる動作で、押圧部１１４ｅが回動レバー１１７の一端を押圧することで、回転レバー１１７の他端が第２イジェクトレバー１１５の駆動部１１５ｅを押圧して、第２イジェクトレバー１１５がリベット１１６を支点として図１３の反時計回り方向に回動する。
【００１６】
続いて、カセット押圧部１１５ｃが切欠き部１０１ｇに位置しているリボンカセット１１９の凸部１２６を押圧して、リボンカセット１１９が着脱口１０２ａからその一部が排出される。
続いて、第１イジェクトレバー１１０は、スライド部材１１４の抜け止めが解除されると、コイルばね１１１の作用で図１４の矢印Ｇ方向に移動して、カセット押圧部１１５ｃがリボンカセット１１９の他方の側壁１２０ｂを押圧して、リボンカセット１１９をカセット装着部１０２から外部に排出する。
【００１７】
【発明が解決しようとする課題】
ところで、このように構成され、動作する従来の熱転写プリンタでは、イジェクト機構が上述したように第１イジェクトレバー１１０や第２イジェクトレバー１１５などの複雑な機構部品からなり、しかもその部品点数が多くなるため、組み立てが難しいという問題があった。
【００１８】
また、コイルばね１１１によって常に図１３に示す矢印Ｇ方向への弾性付勢力で、スライド部材１１４のカセット当接部１１４ｂで押さえつけているので、スライド部材１１４のカセット当接部１１４ｂが何らかの条件で抜止め部１２１ｄから解除されてしまうと、リボンカセット１１９が着脱口から勢いよく飛び出してしまい、外部に露出したインクリボン１２２の一部を傷付けたり、リボンカセット１１９のカセット本体部１２０そのものを破損してしまうおそれがあった。
【００１９】
本発明の熱転写プリンタは、部品点数の少ない簡単な構造で、カセット装着部に装着されたリボンカセットのロック解除にともなって、スムーズに排出することができるようにしたことを目的とする。
【００２０】
【課題を解決するための手段】
上記課題の少なくとも１つを解決するための第１の解決手段として、インクリボンをカセット本体部に収納したリボンカセットと、互いに対向する一対の側板部と一方の前記側板部に形成した開口部から挿入される前記リボンカセットを着脱可能なカセット装着部とを有するフレームと、他方の前記側板部に取付けて前記カセット装着部内に位置させたサーマルヘッドと、前記カセット装着部に装着した前記リボンカセットを抜け止め可能な抜け止め部と、前記抜け止め部で抜け止めされた前期リボンカセットをロック及びロック解除可能なイジェクト部材と、を備え、
前記カセット装着部内に装着した前記リボンカセットを前記開口部方向へ所定の付勢力で付勢する付勢部材を前記フレームに取り付けして、前記一方の側板部に沿ってスライド移動させて前記イジェクト部材が前記リボンカセットのロック解除を行うことにより、前記リボンカセットの抜け止めが解除されて、前記カセット装着部に装着された前記リボンカセットを、前記付勢部材の付勢力にて前記カセット装着部から押出し移動可能にした熱転写プリンタであって、
前記リボンカセットの上面には、前記イジェクト部材に形成した係合溝に係合可能な係合部を突出形成し、前記イジェクト部材は、前記一方の側板部に沿って配設した基板部と、前記フレームの上面に沿って前記基板部に対し略直角に形成した摺接板部とを設け、前記摺接板部は、前記係合溝に係合した前記リボンカセットの係合部に摺接しながら前記前記リボンカセットを前記開口部から排出可能とした傾斜部を形成したものである。
【００２１】
また、第２の解決手段として、前記フレーム上面の前記開口部側の縁部には切欠き溝を形成して、前記リボンカセットの前記係合部を前記切欠き溝にガイドされて前記リボンカセットを前記開口部から排出するようにしたものである。
【００２２】
また、第３の解決手段として、前記リボンカセットは、前記カセット本体部の上面から延出して一体形成されたリボン案内部を有し、該リボン案内部の下面には前記サーマルヘッドと対向配置可能なヘッド当接部を設けて、
前記サーマルヘッドは、複数の発熱素子を有する基板部と、該基板部を固着し、前記他方の側板部に取付けしたヘッド取付台とを有し、前記抜止め部は、前記ヘッド取付台の先端を湾曲させてフック状に形成し、前記リボンカセットは、前記ヘッド当接部に前記抜け止め部と係合可能なリブ部を形成したものである。
【００２４】
【発明の実施の形態】
本発明の一実施形態である熱転写プリンタを図１乃至図１１に基づいて以下に説明する。
熱転写プリンタは、図１に示すように、内部に空洞部を有する箱状からなり、手前側および後方側に互いに対向して配置された一対の側板部１ａ、１ｂと、上方側に天板部１ｃと、下方側に底板部１ｄとを有するフレーム１を備えている。
このフレーム１は、空洞部内に後述するリボンカセットを装着可能なカセット装着部２を設け、このカセット装着部２にリボンカセットを着脱するための開口部２ａが一方の側板部１ａに形成されている。
【００２５】
他方の側板部１ｂの外側には、モータ４とこのモータ４の駆動力を伝達するギヤ群５とが取り付けられていて、この他方の側板部１ｂの図２の右側には、貫通形成された丸孔（図示せず）から円柱状をした巻取りボビン８がギヤ群５の一部と連結して回転可能に取り付けられている。
さらに他方の側板部１ｂには、巻取りボビン８に近接して位置決め孔１ｅが貫通形成され、図２の右端部には凹部１ｍが切欠き形成されている。
カセット装着部２内の底板部１ｄ上には、一部を斜めに形成した樹脂製の傾斜台部２ｂ（図５参照）が取り付けられていて、後述する記録用紙４０（図１１参照）を搬送するためのガイドとなっている。
図２に示すように、天板部１ｃの裏面には、その端部側を略直角に折り曲げてカセット装着部２内に突起１ｋが突出形成されている。
【００２６】
図１に示すように、フレーム１の一方の側板部１ａには、その表面に沿って図１の右方向にスライド移動可能なイジェクト部材（イジェクト機構）３が小バネ３ｔ（図２参照）を介して取り付けられている。
このイジェクト部材３は、樹脂製又は金属製から成り、平面視Ｌ字状に形成された基板部３ａと、この基板部３ａの一部と略直角に折り曲げて天板部１ｃ上を摺接する摺接板部３ｂとから構成されている。
なお、摺接板部３ｂは、基板部３ａとともにあらかじめＬ字状に樹脂にて一体成形したものであってもよい。
【００２７】
上記基板部３ａは、その表面に滑り止め用の滑り止め部３ｄが形成されていて、この滑り止め部３ｄ近傍の端面を斜めにカットした傾斜部３ｅが形成されている。そして、これら滑り止め部３ｄ及び傾斜部３ｅにより、このイジェクト部材３を手動で操作する際にスムーズに操作できるようになっている。
さらに基板部３ａには、一方の側板部１ａの開口部２ａを開放する部分に開放部３ｇを有し、この開放部３ｇにより摺接板部３ｂとの間に所定の空間を形成している。
【００２８】
イジェクト部材３の摺接板部３ｂは、その中央に略細長状の孔部３ｆが貫通形成されていて、この孔部３ｆ内には天板部１ｃ上からプレス加工等にて僅かに突出形成された２個の突き出し部１ｆが嵌合し、突き出し部１ｆにガイドされながらイジェクト部材３全体が図１の矢印Ｅ、Ｆ方向にスライド移動するようになっている。
また、摺接板部３ｂの開放部３ｇ側の縁部には、切欠き加工された係合溝３ｈが形成され、この係合溝３ｈの図示左側にはイジェクト部材３の矢印Ｅ、Ｆ方向のスライド移動方向に対して斜めに切欠き加工された傾斜部３ｋが形成されている。
なお、開口部２ａの一部を構成する天板部１ｃの縁部には、所定深さの切欠き溝１ｈが形成され、この切欠き溝１ｈにイジェクト部材３の係合溝３ｈが位置するようになっている。
そして、この切欠き溝１ｈ内には、後述するリボンカセットの突部が係合するようになっている。
【００２９】
図２及び図３に示すように、フレーム１の両側板部１ａ、１ｂ間には軸部材６が軸支され、この軸部材６と平行に回転自在なプラテンローラ９がその両端を支持レバー１１を介して軸支されている。
上記支持レバー１１は、両端側を略直角に折り曲げた一対の対向する腕部１１ｂを有し、腕部１１ｂに略Ｕ字状に切り欠いた係止溝１１ｆが形成され、コイルバネ１１ｇにてこの係止溝１１ｆ内にプラテンローラ９の回転軸の両端が摺動可能に支持されている。
【００３０】
次に、図２及び図３に示すように、熱転写プリンタの側方側（図２の左側）には、金属棒等からなる紙送りローラ１３と、この紙送りローラ１３に圧接する圧接ローラ１４とが、両側板部１ａ、１ｂに回転自在に取り付けられている。
そして、紙送りローラ１３および圧接ローラ１４にて挟持される記録用紙４０（図１１参照）は、図２の左右方向に紙送りされるようになっている。
【００３１】
次に、図２に示すように、付勢部材であるコイルばね３０は、コイル状に巻回して形成された巻線部３０ａと、巻線部３０ａの両端から延設された一方の延設部３０ｂ、他方の延設部３０ｃとを有し、巻線部３０ａをフレーム１の突起１ｋに係合している。
一方の延設部３０ｂは、略くの字状をした弾性付勢力を有する線材であり、その先端を略直角に折り曲げてカセット当接部３０ｄを形成している。
他方の延設部３０ｃは、他方の側板部１ｂの凹部１ｍ内に係合して、この延設部３０ｃおよび巻線部３０ａによりコイルばね３０全体がフレーム１に固定されるとともに、一方の延設部３０ｂのカセット当接部３０ｄがカセット装着部２に装着した後述するリボンカセットを弾性付勢力により押し出し可能となっている。
【００３２】
次に、図４乃至図６に示すように、サーマルヘッド１７は、複数の発熱素子を有する基板部１８と、この基板部１８を固着し、フレーム１の他方の側板部１ｂに取り付けしたヘッド取付台１９とを有している。
そして、サーマルヘッド１７は、プラテンローラ９と対向する位置に配設され、基板部１８を接着剤等で固着した略四角状のヘッド取付台１９が、フレーム１の側板部１ｂにねじ止め等により片持ち支持されて所定の弾性力を有した状態で取り付けられている。
上記ヘッド取付台１９は、図６に示す右側の自由端である先端部１９ａがカセット装着部２の開口部２ａから若干外方に突出している。
そして、このヘッド取付台１９の先端部１９ａには、折り返し加工して２枚重ねにされ、湾曲、且つフック状をした抜止め溝（抜止め部）１９ｆが形成されている。
【００３３】
次に、図７乃至図１０に示すように、リボンカセット３５は、断面が略楕円形状をしたカセット本体部３６と、このカセット本体部３６から一方側（図７の右方向側）に延出して一体形成されたリボン案内部３７とを有している。
【００３４】
このカセット本体部３６の空洞内部にはインクリボン３９が収納され、このインクリボン３９の両端部がカセット本体部３６内に回転可能に収納された供給ローラ４１と巻取りローラ４２とに巻回されている。
また、リボンカセット３５の一方の側壁３６ａの図２の手前側には直角状をしたイジェクト当接部３６ｇが設けられている。
【００３５】
リボン案内部３７の下面には、平坦状をしたヘッド当接部３７ａが形成されていて、このヘッド当接部３７ａにヘッド取付台１９の上面が当接するようになっている。
リボン案内部３７の先端部には、回転自在な小ローラ３８ａを有するリボン折り返し部３８が形成されている。
ヘッド当接部３７ａは、リボン折り返し部３８側に小ローラ３８ａの軸心方向に沿って帯状をした弾性を有する長片部３７ｂを立設形成している。
この長片部３７ｂは、リボンカセット３５をカセット装着部２内に挿入するにつれてヘッド取付台１９の図１０に示す左右側の側壁で徐々に弾圧するように嵌合する抜け止めの役割をしている。
【００３６】
また、図２に示すように、リボン案内部３７の下板３７ｆの一部であるヘッド当接部３７ａには、僅かに突出させたリブ部３７ｃが細長く形成され、リブ部３７ｃがヘッド取付台１９の抜止め部１９ｆと係合可能となっている。
【００３７】
リボン案内部３７のヘッド当接部３７ａの下部空間（図２の上部）には、サーマルヘッド１７を挿入可能なヘッド挿入部４３が設けられている。
リボン案内部３７の上板３７ｅには、リボン折り返し部３８の近傍で、インクリボン３９の幅方向の一端部に四角状をした係合部である突部３７ｇが図１の上方に突出して形成されている。この突部３７ｇは、フレーム１の天板部１ｃの切欠き溝１ｈ内に嵌合可能となっている。
また、カセット本体部３６の他方の側壁３６ｂには、巻取りローラ４２の一端側に近傍して小突起３６ｋが突出形成され、この小突起３６ｋはリボンカセット３５をカセット装着部２に装着したときにフレーム１の他方の側板部１ｂの位置決め孔１ｅと嵌合可能となっている。
【００３８】
図１１に示すように、記録用紙４０は、図中の左側の図示しない給紙部から供給され、カセット装着部２にリボンカセット３５を装着した状態で、用紙挿入口４２ａから挿入可能となっている。
用紙挿入口４２ａから挿入された記録用紙４０は、リボンカセット３５の下部を通過し、傾斜台部２ｂを経てプラテンローラ９とサーマルヘッド１８との間に配設されたインクリボン３９の下方側に搬送されて、紙送りローラ１３と圧接ローラ１４とに圧接挟持されるようになっている。
そして、紙送りローラ１３と圧接ローラ１４とに圧接挟持された記録用紙４０は、紙送りローラ１３の回転で外部に排紙可能となっている。
【００３９】
次に、図１、図２および図１１に基づいて、熱転写プリンタにリボンカセット３５を挿着する動作を説明する。
先ず、リボンカセット３５を他方の側壁３６ｂ側から先に一方の側板部１ａの開口部２ａに挿入すると、カセット装着部２内においてヘッド当接部３７ａがヘッド取付台１９の上面（天板）に案内されて奧側に徐々に挿入される。
【００４０】
徐々にリボンカセット３５が挿入されることにより、その他方の側壁３６ｂにコイルばね３０のカセット当接部３０ｄが当接し、さらにこのコイルばね３０の弾性付勢力に抗してリボンカセット３５を押し続けてカセット装着部２内の奥側に挿入していくと、ヘッド取付台１９の側壁にてリボンカセット３５の長片部３７ｂが弾圧される。それとともに、ヘッド取付台１９の抜止め部（抜止め溝）１９ｆにリボンカセット３５のリブ部３７ｃが嵌合して、リボンカセット３５がカセット装着部２から抜け止めされる。
このとき、位置決め孔１ｅ内にリボンカセット３５の小突起３６ｋが嵌入され、巻取りボビン８にリボンカセット３５の巻取りローラ４２が回転可能に係合するとともに、リボンカセット３５の突起３７ｇがフレーム１の切り欠き溝１ｈ内に係合して、リボンカセット３５が位置決めされる。
【００４１】
なお、イジェクト部材３は、その斜め形成された傾斜部３ｅがリボンカセット３５のイジェクト当接部３６ｇに当接して小ばね３ｔの弾性付勢力に抗しながら図示右方向（Ｅ方向）にスライド移動して、リボンカセット３５がカセット装着部２内にほぼ収納されると同時に、イジェクト当接部３６ｇが傾斜部３ｅから解除されて、イジェクト部材３が小ばね３ｔの弾性付勢力にて元の位置に戻る。
こうして、イジェクト部材３は、サーマルヘッド１７の抜止め部１９ｆで抜け止めしたリボンカセット３５をカセット装着部２内にロックしてカセット装着部２から抜け出す方向の動きを規制する。
【００４２】
次に、カセット装着部２内に装着されたリボンカセット３５を取り出す動作を説明すると、先ず、イジェクト部材３の基板部３ａを滑り止め部３ｄ等を介して手操作にて図１の右側方向にスライド移動させる。すると、イジェクト部材３の傾斜部３ｅが一部遮蔽していた開口部２ａをその部分から移動する。
このとき、イジェクト部材３の摺接板部３ｂの傾斜部３ｋがイジェクト部材３の移動に伴ってリボンカセット３５の突起３７ｇを重ね合う切欠き溝１ｈ、係合溝３ｈから徐々に外部に排出しようとする。
【００４３】
さらに、イジェクト部材３をスライド移動方向に強く動かすと、抜止め部１９ｆ内からリボンカセット３５のリブ部３７ｃが一旦抜けるとともに、コイルばね３０の弾性付勢力によってリボンカセット３５がカセット当接部３０ｄで押圧され、開口部２ａからリボンカセット３５が所定量押し出されて外部に排出される。
このように、イジェクト部材３は、手動操作されることにより、ヘッド取付台１９の抜止め溝１９ｆで抜け止めされたリボンカセット３５のリブ部３７ｃを取り外すロック解除機能を有している。
【００４４】
次に、熱転写プリンタによる記録用紙４０への印字動作を図１１に基づいて説明すると、先ず、プラテンローラ９をサーマルヘッド１７から離間させる。
次に、この状態で、カセット装着部２内にリボンカセット３５を装着すると、リボンカセット３５は、サーマルヘッド１７の抜止め部１９ｆにて抜け止めされて装着される。
次に、記録用紙４０を給排紙口４２ａから矢印Ｍ方向に挿入すると、記録用紙４０は、プラテンローラ９と印字ヘッドであるサーマルヘッド１７との隙間に位置するインクリボン３９の下部を搬送され、記録用紙４０の先端側が紙送りローラ１３と圧接ローラ１４とに圧接挟持される。
【００４５】
次に、モータ４の駆動力をギヤ群５を介して伝達させることにより、プラテンローラ９を上方に移動させて、インクリボン３９と記録用紙４０とをサーマルヘッド１７に圧接挟持する。
次に、この状態で紙送りローラ１３を時計回り方向に回転させると、記録用紙４０が上記矢印Ｍ方向に搬送されるとともに、サーマルヘッド１７の複数の発熱素子を選択的に発熱させて記録用紙４０にインクリボン３９のインクを転写して所望の画像を印刷記録する。
【００４６】
そして、印刷が終了すると、プラテンローラ９を下方に移動させるとともに、紙送りローラ１２を反時計回り方向に回転させて、印刷記録された記録用紙４０が矢印Ｎ方向に搬送される。
【００４７】
以上のように構成され、動作する本発明の熱転写プリンタは、以下に示す効果を奏する。
１）カセット装着部２内に装着したリボンカセット３５を開口部２ａ方向へ所定の付勢力で付勢するコイルばね３０をフレーム１に取り付けて、一方の側板部１ｂに沿ってスライド移動させてイジェクト部材３のロック及びロック解除を行うことにより、リボンカセット３５の抜け止めが解除され、カセット装着部２に装着されたリボンカセット３５を、コイルばね３０の所定の付勢力にてカセット装着部２から押出して移動可能にしたことにより、リボンカセット３５をカセット装着部２から押し出して移動させるイジェクト機構を少ない部品点数にて簡単に構成することができる。そのため、組み立てが簡単であるとともに、熱転写プリンタの小型化・薄型化を達成することができる。
【００４８】
２）リボンカセット３５の上面には係合部である突部３７ｇを形成して、イジェクト部材３は、一方の側板部１ｂに沿って配設した基板部３ａと、フレーム１の上面に沿って基板部３ａに対し略直角に折曲げ形成した摺接板部３ｂとをそれぞれ設けて、摺接板部３ｂには、リボンカセット３５の突部３７ｇに摺接し、リボンカセット３５を開口部２ａから外部に排出可能とした傾斜部３ｋが形成されたことにより、イジェクト部材３の傾斜部３ｋの形状に合わせてリボンカセット３５の突部３７ｇを移動させるので、一方向に僅かに押圧するだけでリボンカセット３５を簡単に排出することができる。
【００４９】
３）フレーム１上面の開口部２ａ側の縁部に係合溝３ｈを形成して、リボンカセット３５の突部３７ｇを係合溝３ｈにガイドされて排出するようにしたことにより、突部３７ｇをイジェクト部材３で押圧する際に、係合溝３ｈに沿ってがたつきなくリボンカセット３５を排出することができるので、露出したインクリボン３９の一部を他に接触して損傷させることなく、スムーズに排出することができる。また、プリンタ本体から排出されたリボンカセット３５はその後端部がコイルばね３０によって支えられているため、プリンタ本体を立てた状態としても、リボンカセット３５がプリンタ本体内部に落ち込むことがないので、カセット交換がスムーズに行うことができる。
【００５０】
４）リボンカセット３５は、カセット本体部３６の上面から延出して一体形成されたリボン案内部３７を有し、リボン案内部３７の下面にはサーマルヘッド１７と対向配置可能なヘッド当接部３７ａを設けて、サーマルヘッド１７は、複数の発熱素子を有する基板部１８と、基板部１８を固着し、他方の側板部１ｂに取り付けしたヘッド取付台１９とを有し、抜止め部である抜止め溝１９ｆは、サーマルヘッド１９の先端を湾曲させてフック状に形成したリブ部３７ｃに係合可能にしたことにより、このリブ部３７ｃによりリボンカセット３５の抜止め部１９ｆから確実に抜け止めすることができる。
【００５１】
５）カセット本体部３６は、一対の側壁３６ａ、３６ｂを有するとともに、一方の側壁３６ａを延設したイジェクト当接部３６ｇを設けて、このイジェクト当接部３６ｇをイジェクト部材３の傾斜部３ｅに当接させるようにしたことにより、リボンカセット３５のカセット装着部２からの抜け止めを抜止め部１９ｆとともにおこなうことにより、より確実に抜け止めする事ができる。そのため、リボンカセット３５を落下して破損させることなく、より一層不測の抜け落ちを防止することができる。
【００５２】
以上、本発明の一実施形態について説明してきたが、本発明は上記実施形態に限定されることはなく、その主旨を逸脱しない範囲内において変更して実施することができる。
例えば、リボンカセット３５の突起３７ｇを四角形状ではなく、摺接板部３ｂと摺接する部分を傾斜させた傾斜部をもたせて、一方の摺接板部３ｂの傾斜部３ｋを有する係合溝３ｈを単に矩形状にしたものであってもよい。
また、フレーム１の一方の側板部１ａにイジェクト部材３のスライド移動用に一部を切り欠いて、摺接板部３ｂを天板部１ｃの下面に位置させても良い。
また、リボンカセット３５の突起３７ｇの代わりに凹部とし、係合するフレーム１の切欠き溝１ｈの代わりに下方に突出した突起であってもよい。
【００５３】
【発明の効果】
以上のように説明してきた本発明の熱転写プリンタは、インクリボンをカセット本体部に収納したリボンカセットと、互いに対向する一対の側板部と一方の側板部に形成した開口部から挿入したリボンカセットを着脱可能なカセット装着部とを有するフレームと、他方の側板部に取付けてカセット装着部に位置させたサーマルヘッドと、カセット装着部に装着したリボンカセットを抜け止め可能な抜止め部と、抜止め部で抜け止めされたリボンカセットをロック及びロック解除可能なイジェクト部材と、を備え、カセット装着部内に装着したリボンカセットを開口部方向へ所定の付勢力で付勢する付勢部材をフレームに取り付けして、一方の側板部に沿ってスライド移動させてイジェクト部材のロック解除を行うことにより、リボンカセットの抜け止めが解除されて、カセット装着部に装着されたリボンカセットを、付勢部材の付勢力にてカセット装着部から押出して移動可能にしたことにより、リボンカセットをカセット装着部から押し出して移動させる機構を少ない部品点数にて簡単に構成することができ、しかも、その組み立てが容易である。
【図面の簡単な説明】
【図１】本発明の一実施形態である熱転写プリンタの斜視図である。
【図２】本発明の一実施形態である底板を外した熱転写プリンタの底面側から見た斜視図である。
【図３】本発明の一実施形態である熱転写プリンタの別の角度から見た斜視図である。
【図４】本発明の一実施形態である熱転写プリンタの正面図である。
【図５】本発明の一実施形態である熱転写プリンタの正面図である。
【図６】本発明の一実施形態である熱転写プリンタの側面図である。
【図７】本発明の一実施形態である熱転写プリンタに着脱可能なリボンカセットの正面図である。
【図８】図７におけるリボンカセットの底面図である。
【図９】図７におけるリボンカセットの平面図である。
【図１０】本発明の一実施形態である熱転写プリンタにリボンカセットを装着した際のリボンカセットとヘッド取付台との位置関係を説明するための説明図である。
【図１１】本発明の一実施形態である熱転写プリンタの縦断面図である。
【図１２】従来の熱転写プリンタの正面図である。
【図１３】従来の熱転写プリンタの平面図である。
【図１４】従来の熱転写プリンタの左側面図である。
【図１５】従来の熱転写プリンタの壁部材を説明するための説明図である。
【図１６】従来の熱転写プリンタに着脱可能なリボンカセットの正面図である。
【図１７】図１６におけるリボンカセットの平面図である。
【符号の説明】
１  フレーム
１ａ  一方の側板部
１ｂ  他方の側板部
１ｈ  切欠き溝
２  カセット装着部
２ａ  開口部
３  イジェクト部材
３ａ  基板部
３ｂ  摺接板部
３ｋ  傾斜部
３ｈ  係合溝
１７  サーマルヘッド
１８  基板部
１９  ヘッド取付台
１９ｆ  抜止め溝（抜止め部）
３０  コイルばね（付勢部材）
３５  リボンカセット
３６  カセット本体部
３７  リボン案内部
３７ａ  ヘッド当接部
３７ｃ  リブ部
３７ｇ  突起（係合部）
３９  インクリボン
【図１】
0003765397.tif 000002
【図２】
0003765397.tif 000003
【図３】
0003765397.tif 000004
【図４】
0003765397.tif 000005
【図５】
0003765397.tif 000006
【図６】
0003765397.tif 000007
【図７】
0003765397.tif 000008
【図８】
0003765397.tif 000009
【図９】
0003765397.tif 000010
【図１０】
0003765397.tif 000011
【図１１】
0003765397.tif 000012
【図１２】
0003765397.tif 000013
【図１３】
0003765397.tif 000014
【図１４】
0003765397.tif 000015
【図１５】
0003765397.tif 000016
【図１６】
0003765397.tif 000017
【図１７】
0003765397.tif 000018